(57)【要約】      （修正有）【課題】  ポンプ停止時に、圧力不足及び漏洩により液体が液面に逆流してＶ形オイルシールに接触するのを防止し、ポンプ運転時に背部羽根の空気攪拌によるポンプ吐出液体に大量の気泡が含まれるのを防止し、これにより気泡がプリント基板工程に及ぼす厳重な不良な効果を防止できる、立式ポンプの密封装置の提供。【解決手段】  主ケース前方に前カバーが螺子止めされ、主ケース内にモータが設けられ、前カバー内に遠心式羽根車を収容する圧水室が設けられ、前カバーに前向きにモータの軸方向に対応して入水口が開設され、上方の羽根車の傍らに対応する位置に出水口が設けられて出水管と接続され、入水口と出水口が圧水室と導通し、サスペンションアーム軸前端に非接触シール手段が設置され、シール手段が液体の結晶によるシール手段の引っ掛かり或いは噛み付きを形成せず、シール手段の摩擦による熱の発生がない。【選択図】図３
0003100706.tif 000002
【実用新案登録請求の範囲】
【請求項１】
主ケース前方に前カバーが螺子止めされ、該主ケース内にモータが設けられ、該前カバー内に遠心式羽根車を収容する圧水室が設けられ、該前カバーに前向きにモータの軸方向に対応して入水口が開設され、上方の羽根車の傍らに対応する位置に出水口が設けられて出水管と接続され、該入水口と出水口が圧水室と導通する立式ポンプに設けられる立式ポンプの密封装置において、サスペンションアーム軸前端に非接触シール手段が設置され、該シール手段がポンプ停止時の圧力不足及び漏洩による液体の液面への逆流によるＶ形オイルシールとの接触するのを防止し、ポンプ運転時に背部羽根の空気攪拌によりポンプ吐出液体に大量の気泡が含まれるのを防止することを特徴とする、立式ポンプの密封装置。
【請求項２】
請求項１記載の立式ポンプの密封装置において、非接触シール手段がラビリンスシールとされたことを特徴とする、立式ポンプの密封装置。
【考案の詳細な説明】
【技術分野】
【０００１】
本考案は一種の立式ポンプの密封装置に係り、特にサスペンションアーム軸前端に非接触シール手段が設置され、このシール手段が伝統的なラビリンスシールを改良したものとされる。
【背景技術】
【０００２】
一般に周知の立式ポンプは図１及び図２に示されるようであり、化学工場で強酸、強アルカリ或いは腐蝕性液体を抽送するのに使用され、そのモータ１００の前端にサスペンションアーム軸２００が設けられ、該サスペンションアーム軸２００のモータ１００に近い端部にＶ形オイルシール３００（或いはリップシール）が設けられ、該密封装置は、酸アルカリ性ガスを遮断するためのものであり、もし液体、特に結晶を発生しうる酸アルカリ液体に接触すると、Ｖ形オイルシール３００が失効しやすく、これによりモータ軸の錆を発生する。そのうちサスペンションアーム軸２００の前端は垂直に羽根車４００の軸心に接続され、該羽根車４００の背面には背部羽根４０１が設けられている。また、主ケースに前向きに前カバー５００が嵌合され、該前カバー５００に前向きに、モータ１００の軸方向に対応するよう入水口５０１が設けられ、上述の羽根車４００の傍らに対応するように出水口５０２が設けられて出水管６００に接続され、且つ入水口５０１と出水口５０２がいずれも圧水室７００と導通する。実際の使用状態において、液体は軸方向の入水口５０１より羽根車４００に向けて流れ、羽根車４００の回転を経由し、圧水室７００に高圧の液体が収集され、出水口５０２より導出される。このような周知の立式ポンプには以下のような欠点がある。
１．背部羽根４０１を使用して羽根車４００の背圧を消去するが、背部羽根４０１は空気と輸送液を攪拌し、大量の気泡を輸送液と混合し、この気泡が基板工程の不良率を大幅に高める。
２．機械停止時に、背部羽根４０１は既に作用せず、液体が液面上のＶ形オイルシール３００密封装置に逆流衝突し（ウォーターハンマーに類似の効果）、結晶を発生した液体が密封装置に残留してＶ形オイルシール３００密封装置（或いはリップシール）を損壊しやすい。しかし、逆止弁を利用すればこの問題を解決できるが、一般の機台は空間の制限を受けるために逆止弁を設置できず、並びに結晶効果が逆止弁を失効させうる。
【考案の開示】
【考案が解決しようとする課題】
【０００３】
本考案は周知の技術の欠点を排除するために提供される。ゆえに、本考案の主要な目的は、一種の立式ポンプの密封装置を提供することにあり、それは立式ポンプのサスペンションアーム軸の前端に非接触シール手段が設けられ、該シール手段はポンプ運転時に、背部羽根が空気を攪拌することでポンプ吐出液に大量の気泡が含まれるのを防止でき、これにより気泡がプリント基板工程に及ぼす厳重な不良な効果を防止できるものとする。
【０００４】
本考案のもう一つの目的は、一種の立式ポンプの密封装置を提供することにあり、それは、非接触シール手段によりポンプ停止時に、圧力不足、漏洩により形成される液体の液面上のＶ形オイルシール密封装置（或いはリップシール）への逆流衝突を防止できるものとする。
【０００５】
本考案のさらに別の目的は、一種の立式ポンプの密封装置を提供することにあり、それは、非接触シール手段が非接触性のシール装置とされ、これにより液体の結晶によるシールの詰まり或いはひっかかりの状況を発生せず、またシール手段が摩擦により熱を発生しないものとする。
【課題を解決するための手段】
【０００６】
請求項１の考案は、主ケース前方に前カバーが螺子止めされ、該主ケース内にモータが設けられ、該前カバー内に遠心式羽根車を収容する圧水室が設けられ、該前カバーに前向きにモータの軸方向に対応して入水口が開設され、上方の羽根車の傍らに対応する位置に出水口が設けられて出水管と接続され、該入水口と出水口が圧水室と導通する立式ポンプに設けられる立式ポンプの密封装置において、サスペンションアーム軸前端に非接触シール手段が設置され、該シール手段がポンプ停止時の圧力不足及び漏洩による液体の液面への逆流によるＶ形オイルシールとの接触するのを防止し、ポンプ運転時に背部羽根の空気攪拌によりポンプ吐出液体に大量の気泡が含まれるのを防止することを特徴とする、立式ポンプの密封装置としている。
請求項２の考案は、請求項１記載の立式ポンプの密封装置において、非接触シール手段がラビリンスシールとされたことを特徴とする、立式ポンプの密封装置としている。
【考案の効果】
【０００７】
本考案の立式ポンプの密封装置は、サスペンションアーム軸の前端に非接触シール手段が設けられることにより、液体結晶の形成するひっかかり或いは詰まりを防止し摩擦による熱を発生せず、ポンプ停止時の圧力不足及び漏洩による酸アルカリ性液体が逆流し液面上のＶ形オイルシール密封装置に衝突するのを防止でき、非接触シール手段によりポンプ運転時に背部羽根が空気を攪拌してポンプ吐出液体に大量の気泡を含ませるのを防止し、これにより気泡のプリント基板工程に対する厳重な不良な影響を防止できる。
【考案を実施するための最良の形態】
【０００８】
図３及び図４に示されるように、本考案は、主ケース前方に前カバー４が螺子止めされ、該主ケース内にモータ１が設けられ、該前カバー４内に遠心式羽根車３を収容する圧水室６が設けられ、該前カバー４に前向きにモータの軸方向に対応して入水口４１が開設され、上方の羽根車の傍らに対応する位置に出水口４２が設けられて出水管５と接続され、該入水口４１と出水口４２が圧水室６と導通している。酸アルカリ性ガスを隔離するＶ形オイルシール７密封装置がモータ１に近いサスペンションアーム軸２に取り付けられている。
【０００９】
本考案の特徴は以下のとおりである。サスペンションアーム軸２の前端に非接触シール手段８が設置され、該シール手段８が伝統的なラビリンスシールを改良した構造とされ、本考案の非接触シール手段８は以下のような機能を具備する。
１．ポンプ運転時に、背部羽根が空気を攪拌してポンプ吐出液体に大量の気泡を含ませるのを防止し、これにより気泡のプリント基板工程に対する厳重な不良な影響を防止できる。
２．ポンプ停止時に、圧力不足及び漏洩による酸アルカリ性液体が逆流し液面上のＶ形オイルシール７密封装置（或いはリップシール）に衝突するのを防止できる。
３．非接触シール手段８は非接触性のシール手段とされ、これにより液体血漿によるシール手段の詰まり或いはひっかかりの状況を発生せず、またシール手段が摩擦により熱を発生することがない。
【図面の簡単な説明】
【００１０】
【図１】周知の製品の断面図である。
【図２】周知の製品の部分断面図である。
【図３】本考案の断面図である。
【図４】本考案の部分断面図である。
【符号の説明】
【００１１】
１  モータ          ２  サスペンションアーム軸      ３  羽根車
３１  背部羽根      ４  前カバー                    ４１  入水口
４２  出水口        ５  出水管                      ６  圧水室
７  Ｖ形オイルシール      ８  非接触シール手段      Ｌ  酸アルカリ液
１００  モータ            ２００  サスペンションアーム軸
３００  Ｖ形オイルシール  ４００  羽根車            ４０１  背部羽根
５００  前カバー          ５０１  入水口            ５０２  出水口
６００  出水管            ７００  圧水室
【図１】
0003100706.tif 000003
【図２】
0003100706.tif 000004
【図３】
0003100706.tif 000005
【図４】
0003100706.tif 000006